(57)【特許請求の範囲】
【請求項１】
空気袋への空気供給を常閉型の電磁弁を通じて行い、且つ上記空気袋の排気を上記常閉型の電磁弁と排気用電磁弁とを通じて行うエアマッサージ機であって、上記常閉型の電磁弁の空気袋側の流路を大気に連通させる微小径のオリフィスを設けていることを特徴とするエアマッサージ機。
【請求項２】
オリフィスはその大気側開口が電磁弁のコイルに向けられていることを特徴とする請求項１記載のエアマッサージ機。
【請求項３】
オリフィスは電磁弁のハウジングの外面に設けた凹部の底面に位置していることを特徴とする請求項１または２記載のエアマッサージ機。
【請求項４】
オリフィスは電磁弁に接続されるエアホースの取付面よりも段差を介して高い面に設けていることを特徴とする請求項１〜３のいずれかの項に記載のエアマッサージ機。
【請求項５】
電磁弁のハウジング外面でオリフィス形成位置と電磁弁に接続されるエアホースの取付面との間にエアホース外径より背の高いリブを設けていることを特徴とする請求項１〜４のいずれかの項に記載のエアマッサージ機。
【発明の詳細な説明】
【０００１】
【発明の属する技術分野】
本発明は空気袋を膨張収縮させることでマッサージを行うエアマッサージ機に関するものである。
【０００２】
【従来の技術】
空気袋を膨張収縮させることで圧迫や揉みといったマッサージを行うエアマッサージ機においては、その空気袋の膨張収縮制御のために２方弁あるいは３方弁として構成された電磁弁が用いられているが、膨張した空気袋によって人体を挟み込むように、あるいは包むように圧迫を加えるエアマッサージ機においては、空気袋を膨張させている時点で停電等の事態が生じても、空気袋が膨張したままの状態を保持してしまうことがないように、常開型の電磁弁を用いて、停電時などには電磁弁が開いた状態となり、空気袋内の空気が排出されてしまうようにしている。
【０００３】
【発明が解決しようとする課題】
しかし、常開型の電磁弁を用いているということは、複数の空気袋を個別に膨張収縮させることができるようにしたエアマッサージ機において、ある空気袋のみを膨張させるために他の空気袋への空気供給を止めるのに電磁弁を作動させて閉じておかなくてはならないわけであり、このために多くの電力の消費するものとなる。
【０００４】
本発明はこのような点に鑑みなされたものであって、その目的とするところは安全性を確保しつつ電力消費を抑えたエアマッサージ機を提供するにある。
【０００５】
【課題を解決するための手段】
しかして本発明は、空気袋への空気供給を常閉型の電磁弁を通じて行い、且つ上記空気袋の排気を上記常閉型の電磁弁と排気用電磁弁とを通じて行うエアマッサージ機であって、上記常閉型の電磁弁の空気袋側の流路を大気に連通させる微小径のオリフィスを設けていることに特徴を有している。
【０００６】
常閉型とすることで電磁弁を閉じている際の電力消費を無くすとともに、空気袋が膨張した状態で停電等の事態になってもオリフィスを通じた排気で膨張状態が持続してしまうことがないようにしたものである。
【０００７】
上記オリフィスの大気側開口を電磁弁のコイルに向けておくと、コイルの冷却に有効となる。
【０００８】
また、オリフィスは電磁弁のハウジングの外面に設けた凹部の底面に位置させておくと、ハウジングが厚肉の場合においてもハウジング成形用の金型に設けるオリフィス成形用のピンを折れにくくすることができる。
【０００９】
オリフィスは電磁弁に接続されるエアホースの取付面よりも段差を介して高い面に設けておくことで、エアホースが被さってオリフィスが閉じられてしまうような事態を招くことがなくなる。
【００１０】
さらに電磁弁のハウジング外面でオリフィス形成位置と電磁弁に接続されるエアホースの取付面との間にエアホース外径より背の高いリブを設けておけば、エアホースはもちろん、ホースクランプがオリフィスに被さってしまうことを防ぐことができる。
【００１１】
【発明の実施の形態】
以下本発明を実施の形態の一例に基づいて詳述すると、図１は本発明に係るエアマッサージ機の配管図であって、ポンプユニット３から送り出される空気は３対の空気袋２，２，２及び１個の空気袋２に対して、夫々電磁弁４を介して供給される。また、各空気袋２内に供給されて空気袋２を膨張させた空気は、電磁弁４とポンプユニット３内に位置する排気用電磁弁とを通じて排出されることで、空気袋２は収縮する。図中５は各部材間をつないでいる配管（エアホース４６）、６はエアホース用ジョイントである。
【００１２】
ここにおいて、ポンプユニット３から各空気袋２に至る給気路中に挿入された上記電磁弁４は、いずれも図２に示すように、弁部４２を一端に備えた可動鉄心４１をコイル４０の励磁で動かすことで開く常閉型の２方電磁弁であり、その空気袋２が接続されるＯＵＴ側には、図３にも示すように、微小径のオリフィス７を備えている。
【００１３】
このために、空気袋２に空気を供給して膨張させた状態において、電磁弁４への通電を遮断して閉じた時、空気袋２内の空気は電磁弁４が常閉型のものであるとはいえ、上記オリフィスを通じて徐々に排出される。
【００１４】
なお、電磁弁４のハウジングが金型による成形で得たものであるとともに、オリフィス７もこの成形時に形成している場合、ハウジングの厚肉部分にオリフィス７を設けるとなると、金型に小径で且つ長いピンを設けておかなくてはならず、該ピンの破損の可能性がきわめて大きくなることから、ここでは図４にも示すように、ハウジングの外面側に凹所（図示例ではテーパー状凹所）を設けて、この凹所の底面に微小径のオリフィス７を形成するものとして、上位オリフィス形成用のピンの長さを短くすることができるようにしている。
【００１５】
また、オリフィス７は、図５から明らかなように、空気袋２との接続用のエアホース４６が取り付けられるプラグ部４５よりも段差４４分だけ高い面のところに設けているとともに、ハウジングにおけるオリフィス７とプラグ部４５との間の部分にエアホース４６の外面よりも背が高いリブ４３を設けることで、エアホース４６やホースクランプ４７がオリフィス７に被さってオリフィス７を閉じてしまうことががないようにしている。
【００１６】
図６に他例を示す。ここでは電磁弁４の空気袋２側（ＯＵＴ側）に設けるオリフィス７の大気側開口を電磁弁４のコイル４０に向けて形成している。オリフィス７を通じて排出される空気がコイル４０を冷却するようにしているものである。
【００１７】
【発明の効果】
以上のように本発明においては、空気袋への空気供給を常閉型の電磁弁を通じて行い、且つ上記空気袋の排気を上記常閉型の電磁弁と排気用電磁弁とを通じて行うエアマッサージ機であって、上記常閉型の電磁弁の空気袋側の流路を大気に連通させる微小径のオリフィスを設けているために、電磁弁を閉じている際の電力消費を無くすことができるものであり、しかも常閉型を用いているとはいえ、空気袋が膨張した状態でコンセントが抜けたり停電になったりして電磁弁が閉じてしまっても、オリフィスを通じた排気がなされるために空気袋が膨張状態を保つことはなく、従って安全なものである。
【００１８】
上記オリフィスの大気側開口を電磁弁のコイルに向けておくと、コイルの冷却に有効となり、電磁弁の温度上昇を抑えることができる。
【００１９】
また、オリフィスは電磁弁のハウジングの外面に設けた凹部の底面に位置させておくと、ハウジングが厚肉の場合においてもハウジング成形用の金型に設けるオリフィス成形用のピンを折れにくい短いものとすることができるとともに、離型も容易となり、製造コストを低減することができる。
【００２０】
オリフィスは電磁弁に接続されるエアホースの取付面よりも段差を介して高い面に設けておくことで、エアホースが被さってオリフィスが閉じられてしまうような事態をなくすことができる。
【００２１】
さらに電磁弁のハウジング外面でオリフィス形成位置と電磁弁に接続されるエアホースの取付面との間にエアホース外径より背の高いリブを設けておけば、エアホースはもちろん、ホースクランプがオリフィスに被さってしまうことを防ぐことができる。
【図面の簡単な説明】
【図１】本発明の実施の形態の一例の配管図である。
【図２】同上の電磁弁の断面図である。
【図３】同上の電磁弁の拡大断面図である。
【図４】同上の更に拡大した断面図である。
【図５】  (a)は同上の電磁弁のエアホース接続時の状態を示す断面図、(b)は右側面図である。
【図６】他例の断面図である。
【符号の説明】
２  空気袋
４  電磁弁
７  オリフィス
【図１】
0003890918.tif 000002
【図２】
0003890918.tif 000003
【図３】
0003890918.tif 000004
【図４】
0003890918.tif 000005
【図５】
0003890918.tif 000006
【図６】
0003890918.tif 000007